(57)【特許請求の範囲】
【請求項１】
記録媒体が搬送される搬送経路と、
前記搬送経路中に設けられた前記記録媒体の幅方向の一方を規定する第１側壁と、他方を規定する第２側壁と、前記第１側壁および前記第２側壁の少なくとも一方に、前記記録媒体の外縁に接触する突出位置から前記記録媒体に接触しない退避位置までの間を移動可能な付勢部材と、を備える、前記記録媒体を整列する整列手段と、
前記搬送経路を覆う開閉可能なカバー部材と、を有し、
前記付勢部材は、
第１の方向に回動する回動中心である付勢端子回動支持部を挟んで、異なる方向に延出する前記記録媒体の外縁に接触する付勢端子突出部および付勢端子操作部を備える付勢端子と、
前記付勢端子の前記付勢端子突出部を前記記録媒体の外縁に接触する方向に付勢する第１弾性部材と、
第１の方向と略直交する第２の方向に回動する回動中心である駆動レバー回動支持部を有し、前記付勢端子操作部の回動領域に達するように延出する付勢端子駆動部と、前記カバー部材の閉状態において前記カバー部材に当接し自身の回動を規制する駆動レバー規制部とを備える駆動レバーと、
前記駆動レバーの前記付勢端子駆動部を前記付勢端子操作部の方向に付勢する第２弾性部材と、を備え、
前記突出位置では前記付勢端子突出部により前記記録媒体の外縁を押圧し、前記搬送経路を露出するように前記カバー部材を開ける動作で前記退避位置まで移動することを特徴とする印刷装置。
【請求項２】
前記第２弾性部材の付勢力は、前記第１弾性部材の付勢力より大きいことを特徴とする請求項１に記載の印刷装置。
【請求項３】
前記カバー部材の一端には、カバー部材突起部が設けられ、
前記カバー部材が閉状態では、前記カバー部材突起部と前記駆動レバー規制部とが当接して前記付勢端子操作部と前記付勢端子駆動部とが分離し、
前記第１弾性部材は、前記付勢端子突出部を前記突出位置へ移動させ、前記付勢端子突出部を前記記録媒体の外縁に接触させることを特徴とする請求項１に記載の印刷装置。
【請求項４】
前記カバー部材が開いた状態では、前記カバー部材突起部と前記駆動レバー規制部とが分離し、
前記第２弾性部材により付勢された前記付勢端子駆動部が前記付勢端子操作部を押し上げ、
前記付勢端子操作部は、前記付勢端子突出部を前記退避位置まで移動させることを特徴とする請求項３に記載の印刷装置。
【発明の詳細な説明】
【技術分野】
【０００１】
本発明は、印刷装置に関する。
【背景技術】
【０００２】
印刷装置を用い記録媒体を搬送し印刷を行う場合、記録媒体の傾き（以下スキューという）が発生すると記録媒体に対し傾いた印刷結果になってしまうという問題がある。傾いた状態で搬送される記録媒体のスキューを解消、または抑制するために記録媒体の外縁の一方に当接し、スキューを調整するスキュー調整部を設けた情報記録装置が特許文献１に開示されている。
【先行技術文献】
【特許文献】
【０００３】
【特許文献１】特開２００９−６７５０６号公報
【発明の概要】
【発明が解決しようとする課題】
【０００４】
しかしながら、上述の情報記録装置は搬送経路中にある記録媒体のスキューを解消する装置であり、記録媒体を初期挿入する場合については特別な記述が無い。特に記録媒体を初期挿入する場合において、１枚の単票状になっている記録媒体の先端部やロール状に巻かれた状態の記録媒体から引き出された先端部を紙経路中に挿入する際にスキュー調整部に記録媒体の先端部が引っかかり挿入しにくくなってしまう、という課題があった。
【課題を解決するための手段】
【０００５】
本発明は、上述の課題の少なくとも一部を解決するためになされたものであり、以下の形態または適用例として実現することが可能である。
【０００６】
（適用例１）記録媒体を搬送する搬送経路と、前記搬送経路中に設けられた前記記録媒体の幅方向の一方を規定する第１側壁と、他方を規定する第２側壁と、前記第１側壁および前記第２側壁の少なくとも一方に、前記記録媒体の外縁に接触する突出位置から前記記録媒体に接触しない退避位置までの間を移動可能な付勢部材と、を備える、前記記録媒体を整列する整列手段と、前記搬送経路を覆う開閉可能なカバー部材と、を有し、前記付勢部材は、第１の方向に回動する回動中心である付勢端子回動支持部を挟んで、異なる方向に延出する前記記録媒体の外縁に接触する付勢端子突出部および付勢端子操作部を備える付勢端子と、前記付勢端子の前記付勢端子突出部を前記記録媒体の外縁に接触する方向に付勢する第１弾性部材と、第１の方向と略直交する第２の方向に回動する回動中心である駆動レバー回動支持部を有し、前記付勢端子操作部の回動領域に達するように延出する付勢端子駆動部と、前記カバー部材の閉状態において前記カバー部材に当接し自身の回動を規制する駆動レバー規制部とを備える駆動レバーと、前記駆動レバーの前記付勢端子駆動部を前記付勢端子操作部の方向に付勢する第２弾性部材と、を備え、前記突出位置では前記付勢端子突出部により前記記録媒体の外縁を押圧し、前記搬送経路を露出するように前記カバー部材を開ける動作で前記退避位置まで移動することを特徴とする印刷装置。
【０００７】
一般に印刷装置において、記録媒体を交換し、新たな記録媒体を搬送経路に挿入する際にカバー部材を開けて搬送経路を露出させる。この構成によれば、カバー部材を開けると搬送経路に設けられた整列手段の付勢部材は記録媒体に接触しない退避位置まで退避する。そのため、記録媒体は、先端部が付勢部材に邪魔されることなくスムーズに搬送経路に挿入されることができる。また、カバー部材を閉じると、付勢部材は突出位置まで突出して記録媒体の外縁に接触する。その結果、記録媒体のスキューを解消しつつ記録媒体の挿入性を向上させることができる。
【０００８】
（適用例２）前記付勢部材は、第１の方向に回動する回動中心である付勢端子回動支持部を挟んで、異なる方向に延出する前記記録媒体の外縁に接触する付勢端子突出部および付勢端子操作部を備える付勢端子と、前記付勢端子の前記付勢端子突出部を前記記録媒体の外縁に接触する方向に付勢する第１弾性部材と、第１の方向と略直交する第２の方向に回動する回動中心である駆動レバー回動支持部を有し、前記付勢端子操作部の回動領域に達するように延出する付勢端子駆動部と、前記カバー部材の閉状態において前記カバー部材に当接し自身の回動を規制する駆動レバー規制部とを備える駆動レバーと、前記駆動レバーの前記付勢端子駆動部を前記付勢端子操作部の方向に付勢する第２弾性部材と、を備え、前記第２弾性部材の付勢力は、前記第１弾性部材の付勢力より大きいことを特徴とする上記の印刷装置。
【０００９】
この構成によれば、印刷装置においてカバー部材が閉じた状態、すなわち記録媒体が搬送経路上を搬送される状態では、カバー部材が駆動レバーの駆動レバー規制部に当接し駆動レバーの第２の方向の回動を規制するため、駆動レバーの付勢端子駆動部と付勢端子の付勢端子操作部とは分離される。そのため、付勢端子は、単独で第１弾性部材により付勢され第１の方向に回動して付勢端子突出部が記録媒体の外縁に接触する位置に移動する。その結果、搬送される記録媒体の外縁を規制することができ、スキューを低減または抑制することができる。
【００１０】
また、カバー部材を開けた状態、すなわち記録媒体を交換する等の状態では、カバー部材が駆動レバーの駆動レバー規制部から分離するため、駆動レバーは第２弾性部材に付勢され駆動レバー回動支持部を中心に第２の方向に回動する。そのため、駆動レバーの付勢端子駆動部は付勢端子の付勢端子操作部に駆動力を与え、付勢端子を、付勢端子回動支持部を中心に第１の方向に回動力を付与することができる。このとき、第２弾性部材の付勢力は、第１弾性部材の付勢力より大きいため、付勢端子の付勢端子突出部は第１弾性部材の付勢力に抗して搬送経路から退避する方向に移動することができる。その結果、記録媒体を交換し新たな記録媒体を搬送経路に挿入する際に、搬送経路に設けられた整列手段の付勢部材を記録媒体に接触しない退避位置まで退避させることができる。従って、記録媒体は、先端部が付勢部材に邪魔されることなくスムーズに搬送経路に挿入されることができる。
【図面の簡単な説明】
【００１１】
【図１】本実施形態に係る印刷装置の概略構成を示す断面図。
【図２】搬送部の詳細を示す図。
【図３】付勢部材の構成を説明する図。
【図４】付勢部材の動作を説明する図。
【図５】付勢部材のその他の形態１を説明する概略図。
【図６】付勢部材のその他の形態２を説明する概略図。
【発明を実施するための形態】
【００１２】
（印刷装置の全体構成について）
まず、印刷装置の全体構成について図１を参照して説明する。図１は本実施形態に係る印刷装置の概略構成を示す断面図である。
【００１３】
図１に示すように、本実施形態に係る印刷装置１０００は、記録媒体としての記録紙１０を収納する給紙部２００と、搬送経路１１０に沿って記録紙１０を搬送する搬送部１００と、搬送される記録紙１０に所定の画像を印刷する印刷部３００と、カバー部材７５とを備えている。
【００１４】
印刷部３００は、例えばインクジェットヘッドを備えるヘッド部３１０と、記録紙１０を固定する記録紙吸引部３２０と、吸引機構部３３０と、を備えている。ヘッド部３１０は搬送される記録紙１０の記録面側に配置され、記録紙吸引部３２０は記録面の裏面側に配置されている。記録紙吸引部３２０は吸引機構部３３０を有し、搬送される記録紙１０の裏面を吸着する。ヘッド部３１０は搬送される記録紙１０の記録面にインクを吐出して情報を記録する。
【００１５】
給紙部２００は、ロール紙支持軸２０と繰り出しローラー３０とを備える。ロール状の記録紙１０（以下、ロール紙１０ａという）は、回転可能なロール紙支持軸２０に装着される。ロール紙１０ａから繰り出された記録紙１０は、繰り出しローラー３０によって繰出される。繰り出しローラー３０によって繰出されたロール紙１０ａは、後述する搬送部１００に送られる。
【００１６】
搬送経路１１０に沿って記録紙１０を搬送する搬送部１００は、紙送り機構１５０と整列手段１２０（図２参照）とを備える。紙送り機構１５０は、繰り出しローラー３０によって繰出された記録紙１０を搬送経路１１０に導くガイドローラー４０と、記録紙１０が摺動する搬送経路１１０の一部を構成する記録紙保持部５０と、記録紙保持部５０の印刷部３００側に配置される搬送用ローラー対６０と、搬送用ローラー対６０とガイドローラー４０との間の記録紙保持部５０の配置領域に複数設けられた紙押えローラー対７０と、を備えている。
【００１７】
搬送用ローラー対６０は、図示しない駆動手段によって回転駆動される搬送駆動ローラー６０ａと、搬送駆動ローラー６０ａに従動する搬送従動ローラー６０ｂと、を備え、搬送駆動ローラー６０ａと搬送従動ローラー６０ｂによって記録紙１０が挟持される。
紙押えローラー対７０は、第１ローラー７０ａと第２ローラー７０ｂとを備え、第１ローラー７０ａと第２ローラー７０ｂにより記録紙１０が挟持される。
【００１８】
記録紙保持部５０は、開閉自在なカバー部材７５により覆われている。ガイドローラー４０と、紙押えローラー対７０の第１ローラー７０ａと第２ローラー７０ｂのいずれか一方はカバー部材７５に設けられており、紙押えローラー対７０の第１ローラー７０ａと第２ローラー７０ｂのいずれか他方は記録紙保持部５０に設けられている。
【００１９】
カバー部材７５はカバー部材支持部７７に回転自在に取り付けられている。カバー部材７５を開き方向に回転すると、カバー部材７５と記録紙保持部５０に挟まれた空間である搬送経路１１０が開放され、搬送経路１１０は外部に露出する。
【００２０】
ロール紙１０ａを交換するときは、ロール紙１０ａをロール紙支持軸２０から取り外し、新たなロール紙１０ａをロール紙支持軸２０に挿入する。新たなロール紙１０ａから引き出した記録紙１０を搬送部１００にセットするときは、記録紙保持部５０を覆うカバー部材７５を開け、記録紙保持部５０に記録紙１０を乗せた後、記録紙１０を搬送駆動ローラー６０ａと搬送従動ローラー６０ｂの間に挿入し、カバー部材７５を閉じる。
【００２１】
搬送駆動ローラー６０ａと搬送従動ローラー６０ｂの間に挿入された記録紙１０は搬送駆動ローラー６０ａと搬送従動ローラー６０ｂにより挟持され、印刷部３００のヘッド部３１０へ送出される。
【００２２】
カバー部材７５を開き方向に回転すると、ガイドローラー４０はカバー部材７５と共に開き方向に退避し、どちらか一方がカバー部材７５に取り付けた第１ローラー７０ａと第２ローラー７０ｂは分離する。このためカバー部材７５を開き、ロール紙１０ａから引き出した記録紙１０を記録紙保持部５０に乗せ、搬送駆動ローラー６０ａと搬送従動ローラー６０ｂの間に挿入した後カバー部材７５を閉じることで、カバー部材７５に取り付けられたガイドローラー４０は記録紙１０の姿勢を搬送部１００に導くように矯正し、カバー部材７５に取り付けた第１ローラー７０ａと第２ローラー７０ｂのいずれか一方のローラーと、記録紙保持部５０に取り付けた他方のローラーは記録紙１０を挟持し、記録紙１０は搬送部１００にセットされる。
【００２３】
（整列手段について）
次いで、整列手段について、図２を参照して説明する。図２は、搬送部の詳細を示す図であり、詳しくは図１に示すＡ方向矢視図である。
【００２４】
図２に示すように、整列手段１２０は、搬送部１００の記録紙保持部５０に設けられ、記録紙１０の搬送方向Ｓに対する記録紙１０の幅方向の一方の端部１０ｂを規制する第１側壁１３０と、記録紙１０の幅方向の他方の端部１０ｃを規制する第２側壁１４０とを備えている。本実施形態では、第１側壁１３０は、さらに、記録紙１０の一方の端部１０ｂに当接し幅方向の動きを規制する規制部８０を備え、第２側壁１４０は、記録紙１０の他方の端部１０ｃを付勢し幅方向の動きを規制する付勢部材９０を備えている。
【００２５】
第１側壁１３０および第２側壁１４０は、図示しない可動手段によって、記録紙１０の幅方向である図示Ｑ方向に可動させることができ、記録紙１０の他方の端部１０ｃを、付勢部材９０により押圧し、記録紙１０の一方の端部１０ｂを、規制部８０の規制面８１ａと、規制面８２ａとに当接させることによって、印刷部３００における記録範囲の中心に記録紙１０の幅中心が略一致されるように配置される。
ここで付勢部材９０は紙押えローラー対７０の近傍に配置されることが望ましい。これにより付勢部材９０により側面から押圧された記録紙がめくれ上がるのを防止することができる。
【００２６】
上述の通り、記録紙１０は、繰り出しローラー３０（図１参照）によって繰出され、ガイドローラー４０を介して記録紙保持部５０の記録紙載面５０ａ上を摺動しながら記録紙１０の両端部１０ｂ，１０ｃが規制されて搬送される。そして、記録紙１０は紙押えローラー対７０に挟持され、搬送用ローラー対６０に挟持されて搬送され、印刷部３００のヘッド部３１０へ送出される。
【００２７】
（付勢部材の構成について）
ここで、付勢部材の構成について、図３を参照して説明する。図３は、付勢部材の構成を説明する図であり、図３（ａ）は搬送部１００の図２に図示されるＢ−Ｂ´部断面図であり、図３（ｂ）は、搬送部１００の図３（ａ）に図示されるＣ方向から見た側面図である。
【００２８】
図３（ａ），（ｂ）に示すように、付勢部材９０は、記録紙１０の幅方向の他方の端部１０ｃを付勢する付勢端子９１と、付勢端子９１を記録紙１０の端部１０ｃ方向に突出するように付勢する付勢力を発生させる第１弾性部材としてのコイルばね９５と、付勢端子９１を記録紙１０の端部１０ｃから引っ込むように駆動する駆動レバー８３と、駆動レバー８３の動作を補助する第２弾性部材としてのコイルばね９８とを備えている。なお、図３（ａ）は、カバー部材７５を閉じた状態にあり、カバー部材７５は記録紙保持部５０を覆う位置に配置される。カバー部材７５の一端にはカバー部材突起部７６が設けられている。
【００２９】
図３（ａ）に示すように、付勢端子９１は、図３（ａ）の平面方向である第１の方向に回動する回動中心である付勢端子回動支持部９４を挟んで、１方向に延出する記録紙１０の端部１０ｃに接触する付勢端子突出部９２および付勢端子突出部９２と一定の角度を有して延出する角柱状の付勢端子操作部９３を備える。付勢端子９１は、付勢端子回動支持部９４を中心に回転自在に支持されている。
【００３０】
コイルばね９５は、付勢端子突出部９２の裏面に当接するように配置され、付勢端子突出部９２を記録紙１０の端部１０ｃ方向に突出するように付勢する。
【００３１】
図３（ｂ）に示すように、駆動レバー８３は、図３（ｂ）の平面方向である第２の方向に回動する回動中心である駆動レバー回動支持部８４を有し、駆動レバー回動支持部８４から１方向に延出する付勢端子駆動部８５、および付勢端子駆動部８５と一定の角度を有して延出する四角状の駆動レバー規制部８６を備える。駆動レバー８３は、駆動レバー回動支持部８４を中心に付勢端子９１の回動面（第１の方向）と略直交する方向に回動自在に支持されている。付勢端子駆動部８５の先端部は、上述の付勢端子操作部９３の回動領域に達する位置まで延出している。
【００３２】
コイルばね９８は、付勢端子駆動部８５に当接するように配置され、駆動レバー８３の付勢端子駆動部８５を付勢端子操作部９３の方向に付勢する。なお、このとき、第２弾性部材としてのコイルばね９８の付勢力は、第１弾性部材としてのコイルばね９５の付勢力より大きいことが好ましい。また、カバー部材７５のカバー部材突起部７６は、図３（ａ），（ｂ）に示すカバー部材７５が閉じた状態では、駆動レバー８３の駆動レバー規制部８６に当接している。
【００３３】
（付勢部材の動作について）
次いで、付勢部材の動作について、図３および図４を参照して説明する。図４は、付勢部材の動作を説明する図であり、図４（ａ）はカバー部材７５を開いた状態における搬送部１００の図２に図示されるＢ−Ｂ´部断面図であり、図４（ｂ）は、搬送部１００の図４（ａ）に図示されるＣ方向から見た側面図である。
【００３４】
図３（ａ），（ｂ）に示すカバー部材７５が閉じた状態、すなわち記録紙１０が搬送経路１１０上を搬送される状態では、カバー部材突起部７６が駆動レバー８３の駆動レバー規制部８６に当接しているため、駆動レバー８３の回動は規制されている。駆動レバー８３の回動が規制されている状態では、付勢端子９１の付勢端子操作部９３と駆動レバー８３の付勢端子駆動部８５とは接触しない。そのため、付勢端子９１は、フリーな状態となり、付勢端子９１は単独でコイルばね９５により付勢され第１の方向に回動して付勢端子突出部９２が記録紙１０の端部１０ｃに接触する位置に移動する。その結果、搬送される記録紙１０の紙幅方向の動きを規制することができる。
【００３５】
図４（ａ），（ｂ）に示すカバー部材７５が開いた状態、すなわち記録紙１０を交換するような場合では、カバー部材突起部７６はカバー部材支持部７７を中心に回動し、カバー部材突起部７６は駆動レバー８３の駆動レバー規制部８６から分離する。
図４（ｂ）に示すように、カバー部材突起部７６と駆動レバー規制部８６が分離することで、駆動レバー８３の回動を規制するものが無くなる。そのため、駆動レバー８３は、コイルばね９８によって駆動レバー回動支持部８４を中心に回動し、駆動レバー８３の付勢端子駆動部８５は、付勢端子９１の付勢端子操作部９３を押し上げる。すなわち、駆動レバー８３の付勢端子駆動部８５は、付勢端子９１の付勢端子操作部９３に駆動力を与え、付勢端子９１に対して付勢端子回動支持部９４を中心に回動する回動力を付与する。
【００３６】
このとき、コイルばね９８の付勢力は、コイルばね９５の付勢力より大きいため、付勢端子９１の付勢端子突出部９２は、コイルばね９５の付勢力に抗して搬送経路１１０から退避する方向に移動する。その結果、記録紙１０を交換し新たな記録紙１０を搬送経路１１０に挿入する際に、搬送経路１１０に設けられた整列手段１２０の付勢部材９０を記録紙１０に接触しない退避位置まで退避させることができる。従って、記録紙１０は、先端部が付勢部材９０に邪魔されることなくスムーズに搬送経路１１０に挿入されることができる。
【００３７】
ここでカバー部材７５が閉じた状態で駆動レバー８３の回動を規制しているカバー部材突起部７６は、カバー部材７５が開いた状態で駆動レバー規制部８６から完全に分離することが望ましい。これにより駆動レバー８３が搭載されている、第１側壁１３０と第２側壁１４０のいずれか一方を図２で図示されるＱ方向に動かす場合、カバー部材突起部７６と駆動レバー８３が分離しているため、カバー部材突起部７６と駆動レバー規制部８６との間で摩擦抵抗が発生することが無く、カバー部材突起部７６が図２で図示されるＱ方向に動かす動きを阻害することが無くなる。
【００３８】
以上、本発明の実施例について説明したが、上記実施例に対しては、本発明の趣旨から逸脱しない範囲で様々な変形を加えることができる。例えば上記実施例以外の変形例は、以下の通りである。
【００３９】
（第１変形例）
付勢部材のその他の形態について図５を参照して説明する。図５は、付勢部材のその他の形態１を説明する図であり、詳しくは搬送部１００の図２に図示されるＢ−Ｂ´部断面図の他の形態を示す概略図である。
【００４０】
上述されている実施形態では、付勢端子９１を記録紙１０の端部１０ｃ方向に突出するように付勢するためにコイルばね９５を用いているが、本変形例では、付勢端子９１を記録紙１０の端部１０ｃ方向に突出するように付勢するための付勢力を、重力ｍを発生させるおもり９５ｂによって発生させている点が異なる。
【００４１】
おもり９５ｂは付勢端子操作部９３に取り付けられ、付勢端子操作部９３の端は付勢端子回動支持部９４に接続される。また、付勢端子操作部９３は地面に対し概略水平となる姿勢で配置されている。これにより、付勢端子９１は付勢端子回動支持部９４を中心として、おもり９５ｂの重力ｍにより、付勢端子突出部９２を記録紙１０の端部１０ｃ方向に突出するように回動する回動力を得ることができる。従って、おもり９５ｂの重力ｍにより付勢端子突出部９２を記録紙１０の端部１０ｃ方向に突出するように付勢することができる。
【００４２】
これにより、付勢力におもり９５ｂの重力ｍを利用することで、コイルばね９５等の弾性部材を利用したときに発生する、ばね乗数による付勢力の差が無くなり、より精密な付勢力の設定が可能となる。
【００４３】
また、上述の第１変形例ではおもり９５ｂを付勢端子操作部９３に取り付けたが、おもり９５ｂを付勢端子操作部９３に取り付けず、付勢端子操作部９３の質量を、おもり９５ｂで発生する重力ｍと同等の重力を発生させる質量としてもよい。これによりおもり９５ｂを付勢端子操作部９３に取り付ける手間が省けるため、工場などで量産する場合の生産効率を向上することができる。
【００４４】
（第２変形例）
付勢部材のその他の形態について図６を参照して説明する。図６は、付勢部材のその他の形態２を説明する図であり、詳しくは搬送部１００の図４（ａ）に図示されるＣ方向から見た側面図の、複数の付勢部材９０の形態を示す概略図である。
【００４５】
付勢部材９０が複数存在する場合、駆動レバー８３は付勢部材９０と同数だけ、それぞれの付勢部材９０に回転自在に取り付けられる。複数取り付けられた駆動レバー８３のうち、一つの駆動レバー８３ａはカバー部材突起部７６に当接、分離するように配置され、その他の駆動レバー８３ｂはカバー部材突起部７６に当接、分離することが無い位置に配置される。カバー部材突起部７６に当接、分離するように配置される駆動レバー８３ａは、カバー部材突起部７６に当接、分離することがないその他の駆動レバー８３ｂとリンク９９により接続される。
また、コイルばね９８は駆動レバー８３ａを介して、付勢端子突出部９２を記録紙１０の端部１０ｃから引っ込む方向に付勢するように、付勢力を発生させる。ここでコイルばね９８により発生する付勢力は、複数存在する付勢部材９０に備えられているコイルばね９５の合力より大きく設定される。
【００４６】
カバー部材７５を開き方向に回動すると、カバー部材突起部７６はカバー部材支持部７７を中心に回動し、カバー部材突起部７６は駆動レバー８３ａと分離する。
カバー部材突起部７６と駆動レバー８３ａが分離することで、駆動レバー８３の回動を規制するものが無くなるため、駆動レバー８３はコイルばね９８によって回動し、駆動レバー８３は駆動レバー８３ａに対応する付勢端子操作部９３にコイルばね９８によって発生する付勢力を伝達する。
【００４７】
ここで駆動レバー８３ａはリンク９９により接続されているため、コイルばね９８の付勢力はリンク９９を介し、カバー部材突起部７６に当接、分離することが無い駆動レバー８３ｂにも付勢力を伝達し、駆動レバー８３ｂに対応する付勢端子操作部９３にコイルばね９８によって発生する付勢力を伝達する。これにより、カバー部材７５を開くと複数取り付けられている付勢部材９０に備えられる、全ての付勢端子操作部９３に、コイルばね９８によって発生する付勢力を伝達することができるため、付勢部材９０に備えられている付勢端子突出部９２を、図４に示される退避位置１５ｂに移動することができる。
【００４８】
従って上述の第２変形例では、複数の付勢部材９０を持つ場合でも、駆動レバー８３ａと駆動レバー８３ｂをリンク９９でつなぐことにより、カバー部材突起部７６を全ての駆動レバー８３に接触するように複数配置する必要が無い。また、コイルばね９８も全ての駆動レバー８３に対応するように、複数配置する必要が無いため、部品点数を削減でき、コストを削減することができる。
【００４９】
また上述の第２変形例ではコイルばね９８により発生する付勢力は駆動レバー８３ａに作用するように配置したが、コイルばね９８により発生する付勢力を駆動レバー８３ｂに作用するように配置しても良い。コイルばね９８で発生する付勢力を駆動レバー８３ｂに作用するように配置した場合であっても、リンク９９を介し全ての駆動レバー８３に付勢力を伝達できるため、同様の効果が得られる。従ってコイルばね９８を配置する位置の自由度が上がり、設計を容易にすることができる。
【符号の説明】
【００５０】
１０…記録紙、２０…ロール紙支持軸、３０…繰り出しローラー、４０…ガイドローラー、５０…記録紙保持部、６０…搬送用ローラー対、７０…紙押えローラー対、７５…カバー部材、７６…カバー部材突起部、８０…規制部、８３…駆動レバー、８４…駆動レバー回転支持部、８５…付勢端子駆動部、８６…駆動レバー規制部、９０…付勢部材、９１…付勢端子、９２…付勢端子突出部、９３…付勢端子操作部、９４…付勢端子回動支持部、９５…コイルばね、９８…コイルばね、１００…搬送部、２００…給紙部、３００…印刷部、１０００…印刷装置。
【図１】
0005939019.tif 000002
【図２】
0005939019.tif 000003
【図３】
0005939019.tif 000004
【図４】
0005939019.tif 000005
【図５】
0005939019.tif 000006
【図６】
0005939019.tif 000007